(57)【要約】【課題】複合壁全体肉厚、界壁、中空層及び仕上げ材の個々の肉厚を増加させずに、遮音性に優れた複合壁を提供することを課題とする。【解決手段】高遮音複合壁１１は、耐力壁である現場で打設されたコンクリート造界壁または事前成形されたプレキャストコンクリート造界壁１２と、厚さ５０〜７０ｍｍの中空層１３を介して該界壁の外側に配置された乾式壁とを備える。乾式壁は、平板状の面材部１４ａと、面材部に対して一体成形または面接着態様で設けられる少なくとも一つのリブ部１４ｂとからなるリブ付きパネル１４であり、建築物の被固定部に対し、リブ部の一端においてランナー２０及び溝の差込態様で可動に固定され、リブ部の他端において一体的に固定される。【選択図】　　　　図１
2004092199.tif 000002
【特許請求の範囲】
【請求項１】
建築物の耐力壁である現場で打設されたコンクリート造界壁または事前成形されたプレキャストコンクリート造界壁と、厚さ５０〜７０ｍｍの中空層を介して該界壁の外側に配置された乾式壁とを備えた高遮音複合壁であって、
前記乾式壁は、平板状の面材部と、該面材部に対して一体成形または面接着態様で設けられる少なくとも一つのリブ部とからなるリブ付きパネルであり、
前記乾式壁は、建築物の被固定部に対し、前記リブ部の一端において可動に固定され、該リブ部の他端において一体的に固定される、ことを特徴とする高遮音複合壁。
【請求項２】
前記乾式壁の前記リブ部の一端には、該乾式壁の幅方向に延長した所定深さの切り込み溝が形成されており、該乾式壁は、前記建築物の被固定部に設けられた該乾式壁の幅方向に延長するランナーを前記切り込み溝に差し込むことによって、該切り込み溝の延長方向に可動に固定される、ことを特徴とする請求項１に記載の高遮音複合壁。
【請求項３】
前記中空層に不燃性吸音材料を前記乾式壁に当接するように配置したことを特徴とする請求項１又は２に記載の高遮音複合壁。
【請求項４】
前記リブ付パネルの外側表面に不燃性板材を張ったことを特徴とする請求項１乃至３の何れか一項に記載の高遮音複合壁。
【発明の詳細な説明】
【０００１】
【発明の属する技術分野】
本発明は、遮音複合壁に関するものである。
【０００２】
【従来の技術】
従来より、建築物の耐力壁である現場で打設されたコンクリート造界壁または事前成形されたプレキャストコンクリート界壁の遮音性能を向上させる方法として以下の二通りの方法が存在していた。まず、その第一の方法を図７の縦断面をもとに説明する。住戸の天井を構成する、梁部１ａを備えた上部コンクリートスラブ１と、床を構成する下部コンクリートスラブ２との間には、隣接する住戸を区切るコンクリート造界壁３が架橋されている。そして、かかる界壁３の遮音性能を向上するために、第一の方法としては、図７において実線で示される通常の界壁３の肉厚を、点線で示されるように増加させる方法があった。
一方、遮音性能の向上の第二の方法について図８をもとに説明する。かかる方法は、複合壁を構成するものであり、コンクリート造界壁４の近傍に５０〜７０ｍｍの中空層５を設け、その中空層５内で上下方向に延びる木造または金属製の下地６を天井及び床に固定する。そして、かかる下地６に、上下に等間隔で並ぶ複数のビスにより、乾式軽量壁としての石膏ボードなどの仕上げ板材７を一または二枚取付け、場合により中空層５にグラスウール、ロックウールなどの不燃性吸音材料８を挿入する。
【０００３】
【発明が解決しようとする課題】
しかしながら、上述した従来の高遮音性対策には以下のような問題があった。すなわち、第一の方法では、自重の大きいコンクリート造界壁３の壁厚を単純に増加させるだけであるため、その分、建物自体の重量が重くなり、非常にコストが高く、高層建物には採用し難い。また、湿式壁であるコンクリート界壁は、長期的に、その表面に生じるひび割れなどの補修に費用がかかり、仕上げ性の面や維持管理に難点があった。
【０００４】
一方、第二の方法では、コンクリート造界壁４と乾式軽量壁である仕上げ板材７との間に設けられた狭い（５０〜７０ｍｍの）中空層５の空気がばねとして働き、低音域については、コンクリート造界壁自体の遮音性能より遮音特性が落ち込む共鳴現象を起こす、あるいは、コンクリート造界壁自体の遮音性能よりほとんど向上しないなどの問題があり、低音域から高音域の全域において効率的な高い遮音性能が得られなかった。また、これに対処すべく、中空層５の厚みを広くとると、遮音壁全体としての厚さＴが増大し、居住面積の有効利用が図れないなどの問題が生じる。さらに、上記に鑑みて、仕上げ板材７の重量（面密度）を大きくする方法も考えられるが、その場合には、仕上げ板材一枚当たりの重量が重くなり、施工性に難点があるほか、仕上げ板材単板のコインシデンス効果により中高音域での遮音性能が落ち込んでくる。また、既存コンクリート造界壁近傍に用いられる乾式軽量壁は木造または金属製の下地にビスなどで張り付けられる為、地震などで上下のコンクリートスラブ間に変位が生じた時には、ビスに応力が集中し、ひび、キレツが生じやすいなど、長期的な仕上げ性の面での問題もあった。
【０００５】
本発明は、上述した従来の問題に鑑みてなされたものであり、複合壁全体肉厚、界壁、中空層及び仕上げ材の個々の肉厚を増加させずに、遮音性に優れた複合壁を提供することを目的とする。
【０００６】
【課題を解決するための手段】
上述の目的を達成するため、本発明は、建築物の耐力壁である現場で打設されたコンクリート造界壁または事前成形されたプレキャストコンクリート造界壁と、厚さ５０〜７０ｍｍの中空層を介して該界壁の外側に配置された乾式壁とを備えた高遮音複合壁であって、前記乾式壁は、平板状の面材部と、該面材部に対して一体成形または面接着態様で設けられる少なくとも一つのリブ部とからなるリブ付きパネルであり、前記乾式壁は、建築物の被固定部に対し、前記リブ部の一端において可動に固定され、該リブ部の他端において一体的に固定される、ことを特徴とする。
【０００７】
また、好適には、前記乾式壁の前記リブ部の一端には、該乾式壁の幅方向に延長した所定深さの切り込み溝が形成されており、該乾式壁は、前記建築物の被固定部に設けられた該乾式壁の幅方向に延長するランナーを前記切り込み溝に差し込むことによって、該切り込み溝の延長方向に可動に固定される。
さらに、前記中空層に不燃性吸音材料を前記乾式壁に当接するように配置し、あるいは、前記リブ付パネルの外側表面に不燃性板材を張ると好適である。
【０００８】
【発明の実施の形態】
以下、本発明の実施の形態に係る高遮音複合壁について添付図面に基づいて説明する。
【０００９】
図１、図２及び図３はそれぞれ、本発明の実施の形態に係る高遮音複合壁１１の斜視図、横断面図及び縦断面図である。高遮音複合壁１１は、肉厚が１５０〜２００ｍｍの、耐力壁である現場で打設されたコンクリート造界壁または事前成形されたプレキャストコンクリート造界壁１２を備える。界壁１２の両側には、６０ｍｍ（後述する面材部１４ａと界壁１２との間の寸法）の中空層１３が設けられており、さらに各中空層１３の外側（中空層における界壁と逆側）には、複数のリブ付きパネル１４が設けられている。各リブ付きパネル１４は、繊維混入石膏板、けい酸カルシウム板あるいは石膏ボードなどの乾式軽量材料からなり、平板状の仕上げ材として機能する面材部１４ａと、面材部１４ａにおける中空層側に設けられた上下に延びる三つのリブ部１４ｂとを有する。面材部１４ａは、界壁１２の対応する表面とほぼ並行に延長しており、その厚さは８ｍｍ、幅（水平延長方向寸法）は６００ｍｍとなっている。一方、三つのリブ部１４ｂは、面材部１４ａの長さ方向（上下方向）に延びている。また、三つのリブ部１４ｂのうち二つは、面材部１４ａの幅方向両端部に配置されており、隣接する二枚のリブ付きパネル１４は、隣接するリブ部１４ｂを合せるようにして設置される。残りの一つのリブ部１４ｂは、他の二つの間の幅方向中央に配置されている。各リブ部１４ｂには、横断面において矩形の中空部が設けられているが、本発明は、これに限定されず、中実状のリブ部でもよい。また、各リブ部１４ｂは、面材部１４ａの中空層１３側の面から界壁１２に向けて４２ｍｍ突出している。したがって、リブ部１４ｂの先端と界壁１２の対応する表面とは、当接せずに離隔している。また、かかる構成を有するリブ付きパネル１４は、押出成形法により面材部１４ａとリブ部１４ｂとが一体成形されて製造されたものであり、上述した各種寸法の態様では、一枚あたり面密度約２７ｋｇ／ｍ２と非常に軽量に作られ、施工性が良好になっている。
【００１０】
次に、上述した構成のリブ付きパネルの設置方法について説明する。図３に示されるように、各リブ付きパネル１４の下部は、下部ランナー１５を介して界壁１２の床面部１２ａ（建築物の被固定部）に一体的に固定される。下部ランナー１５は、縦断面Ｌ字状の板状部材からなり、床面部１２ａに沿って延びるベース部１５ａと、そこからほぼ直角に立ち上がる支持部１５ｂとからなる。下部ランナー１５は、ベース部１５ａにおいてビス１６により床面部１２ａに固定され、各リブ付きパネル１４の下部は、リブ部１４ｂを貫通するタッピンねじ１７によって、下部ランナー１５の支持部１５ｂに固定される。また、リブ付きパネル１４の下端と床面部１２ａとの間には、複数の四周処理用充填材１８及びその外側に設けられるシーリング材１９が配置されている。
【００１１】
一方、各リブ付きパネル１４の上部は、上部ランナー２０を介して界壁１２の天井部１２ｂ（建築物の被固定部）に可動に取り付けられる。上部ランナー２０は、縦断面Ｌ字状の板状部材からなり、天井部１２ｂに沿って延びるベース部２０ａと、そこからほぼ直角に下方に延長する支持部２０ｂとからなる。上部ランナー２０は、ベース部２０ａにおいてビス１６により天井部１２ｂに固定され、リブ付きパネル１４の長さ方向に延長している。また、リブ付きパネル１４のリブ部１４ｂの上端には、上部ランナー２０の支持部２０ｂを収容する切り込み溝２１が形成されている。切り込み溝２１は、リブ付きパネル１４の長さ方向に所定深さを有し且つリブ付きパネル１４の幅方向に延長する溝であって、溝深さが進むほど幅が狭くなる切り込み部２１ａと、そこから一定幅で深く進む溝部２１ｂとからなる。また、溝部２１ｂは深部ほど界壁寄りとなるように鉛直方向から僅かに傾いて延びている。各リブ付きパネル１４の上部は、切り込み溝２１に上部ランナー２０の支持部２０ｂを差し込むようにして、上部ランナー２０に対して可動に取り付けられている。リブ付きパネル１４の上端と天井部１２ｂとの間には、複数の四周処理用充填材１８及びその外側に設けられるシーリング材１９が配置されている。
【００１２】
以上のような構成を有する高遮音複合壁１１においては、まず、上述したリブ付きパネル１４を用いることにより、面材部１４ａの厚さを大きくせずにパネルの剛性を増加させ、それによって、中空層自体は従来の狭い厚さ（５０〜７０ｍｍの範囲内）のままでも、空気のばね効果による落ち込みやすい低音域での遮音性を向上させることができる。なお、リブ付きパネルの材料強度向上については、リブなしの場合に幅６００ｍｍ、スパン８００ｍｍの中央集中線荷重で曲げ破壊荷重は約４９０Ｎ（５０ｋｇｆ）であるとき、それに上記のように三つのリブ部を設けることで、同破壊荷重は約５８８０Ｎ（６００ｋｇｆ）まで向上している。また、高遮音複合壁１１の表面は、湿式壁ではなく乾式壁となるため、図７に示した従来のものに比べ、ひび割れなど、表面の補修にかかる手間やコストを低減することができる。さらに、リブ付きパネルの一端は一体的な固定態様とし他端は可動に取り付けるため、地震などでリブ付きパネルが天井及び床を含むコンクリートスラブに対して変位しても、リブ付きパネル端部がランナーに対してリブ付きパネルの幅方向に滑動可能なことで当該変位を効率よく吸収することができる。したがって、パネル固定用のビスに応力が集中することがなく、乾式軽量壁であるリブ付きパネルにひびや亀裂が生じることを防止し、長期仕上げ性も良好に維持できる。
【００１３】
次に、図４〜図６に基づいて、本発明の別の実施の形態に係る高遮音複合壁について説明する。なお、図４〜図６中、図１〜図３と同一の符号部分は同一又は対応する部分を示すものとする。本実施の形態に係る高遮音複合壁３１では、図１〜図３に示した実施の形態において、さらに、リブ付きパネル１４の面材部１４ａの外側（住戸室内側）に、例えば繊維混入石膏板からなる厚さ５ｍｍの不燃性板材３３が貼り付けられている。また、中空層１３には、例えばグラスウールからなる不燃性吸音材３５が配設されている。詳細には、不燃性吸音材３５は、リブ付きパネル１４の面材部１４ａの内側（複合壁内部側）の面に当接するように、中央のリブ部１４ｂと隣接する端部に設けられたリブ部１４ｂとの間に敷き詰められる。以上のような構成を有する高遮音複合壁３１においては、図１〜図３の実施の形態と同様に、従来のものに比べ、ひび割れなど、表面の補修にかかる手間やコストを低減することができ、さらに、地震などでリブ付きパネルが天井及び床を含むコンクリートスラブに対して変位しても、リブ付きパネルにひびや亀裂が生じることを防止し、長期仕上げ性も良好に維持できる。また、不燃性板材３３や不燃性吸音材３５を有する分だけ、さらに遮音性能が向上している。
【００１４】
上述した本発明の高遮音複合壁によれば、以下の表１に示すような優れた遮音性能が得られる。
【００１５】
【表１】
2004092199.tif 000003
【００１６】
表１は、ＪＩＳ　Ａ　１４１６の試験方法により得られた空気音遮断性能である音響透過損失の結果を示す。まず、従来のような面密度３６０ｋｇ／ｍ２、厚さ１５０ｍｍのコンクリート造界壁のみの場合、その遮音性能は、ＪＩＳ　Ａ１４１９の空気遮断性能評価線Ｒｒ−５０相当となる。これに対し、図１〜図３に示した本発明の第１の実施の形態に係る高遮音複合壁によれば、空気遮断性能評価線Ｒｒ−５５以上の空気遮断性能低減効果を発揮しており、かかる性能は、面密度１２００ｋｇ／ｍ２のコンクリート厚２６０ｍｍに相当する性能である。さらに中空層にグラスウールの不燃性吸音材料を配置し、リブ付パネルの外側（室内側）に繊維混入石膏板（厚さ５ｍｍ）の不燃性板材を張った、図４〜図６に示す第２の実施の形態に係る構造によれば、面密度１２００ｋｇ／ｍ２のコンクリート厚１０００ｍｍに相当する遮音性能Ｒｒ−６５相当の音響透過損失低減効果が期待できる。また、片側室のみリブ付パネルを設置し、中空層にグラスウールの不燃性吸音材料を配置し、リブ付パネルの外側（室内側）に繊維混入石膏板（厚さ５ｍｍ）の不燃性板材を張る構造でも遮音性能Ｒｒ−５５以上の空気遮断性能低減効果を発揮する。よって、本発明の複合壁構造は建物の構造上必要な耐力壁であるコンクリート造界壁または事前成形されたプレキャストコンクリート造界壁のコンクリート壁厚を増さずに、また、従来からある中空層による壁厚（居住面積）を変えず、コンクリートと乾式壁の中空層の空気がばねとして働くことに起因した低域領域における遮音欠損を起こさずに、コンクリート壁の遮音性能を格段に向上させ、良好な遮音性能居住空間を提供するともに、仕上げ性に優れるので、本発明の複合壁のリフォームを容易に行うことができるばかりでなく、既存の界壁を本発明の複合壁にリフォームすることも容易に行うことができるので、既存コンクリート造界壁の遮音性能を大幅に向上させることが可能となった。
【００１７】
なお、以上に説明してきた本発明は、上記の実施の形態に限定されるものではなく、様々な改変を施すことが可能である。例えば、リブ付きパネルのリブ部は、上下方向に延長するもののみに限定されず、水平方向やさらに傾斜した方向に延長するものでもよく、また、格子状にクロスする態様で延長するものでもよい。また、そのようなリブ部の数や形状も上記の実施の形態に限定されるものではない。
さらに、リブ部と面材部とは押出成形で一体成形により製作されることに限定されず、個別に用意された面材部とリブ部とをリブ部の全面又は所定領域に渡って設けた接着剤によって面接着する態様で一体的に製作してもよい。
【００１８】
【発明の効果】
以上説明したように、本発明の高遮音複合壁によれば、既存コンクリート造界壁にコンクリート壁の壁厚を増大して高いコストをかけずにまた、狭い中空層厚での乾式壁でもリブ付きパネルを付加し組合せることで、高い遮音性能を得ることができ音環境に関する高規格の居住空間を提供することが可能となった。また今後、耐久性が要求される長期的な仕上げ性に於いても、地震などの変位に対して、補修が少ない居住空間を提供することができる。さらに、仕上げ材部面材部分の重量を変えずに、仕上げ材部の剛性を向上させることで低域の遮音性能を改善し、高遮音性能を得ることができる。
【図面の簡単な説明】
【図１】本発明の実施の形態に係る高遮音複合壁の斜視図である。
【図２】図１のＩＩ−ＩＩ線による断面図である。
【図３】図２のＩＩＩ−ＩＩＩ線による断面図である。
【図４】本発明の別の実施の形態に係る高遮音複合壁の斜視図である。
【図５】図４のＶ−Ｖ線による断面図である。
【図６】図５のＶＩ−ＶＩ線による断面図である。
【図７】従来の界壁を示す図である。
【図８】従来の複合壁を示す図である。
【符号の説明】
１１、３１…高遮音複合壁、１２…界壁、１３…中空層、１４…リブ付きパネル（乾式壁）、１４ａ…面材部、１４ｂ…リブ部、２０…ランナー、２１…切り込み溝、３３…不燃性板材、３５…不燃性吸音材。
【図１】
2004092199.tif 000004
【図２】
2004092199.tif 000005
【図３】
2004092199.tif 000006
【図４】
2004092199.tif 000007
【図５】
2004092199.tif 000008
【図６】
2004092199.tif 000009
【図７】
2004092199.tif 000010
【図８】
2004092199.tif 000011